Podtech/llm-jp-corpus-v4-ja_patent huggingface dataset:
(57)【要約】【課題】母子家庭とかご主人の帰宅の遅い家庭に於いて、幼児(3ヶ月〜2歳頃)の入浴を、第三者の手を煩わせずに一人の保護者でする場合、幼児(3ヶ月〜2歳頃)との入浴中に自分の体等を洗ったりすることは、非常に困難である。先に幼児(3ヶ月〜2歳頃)を入浴させて寝かしつけるか、又はご主人が帰宅するのを待ってからするしかない。まだ物も分からない幼児（3ヶ月〜2歳頃）を別室に一人おいて、保護者自身の入浴などとうてい無理である。【解決手段】幼児(3ヶ月〜2歳頃)用のいすを、浴室内の浴槽の縁に掛けられるように、イス2に引っ掛けを付けて、浴槽の縁の高さと巾に合わせられるようにイス2に、高さと巾の調整、伸縮できる引っ掛け1を付けた。浴槽の内側、外側に掛けられて保護者の要望によって掛ける位置を替えて、体等を洗っている時でも、湯船につかっている時でも安心して入浴できる。【選択図】図１
2005160906.tif 000002
【特許請求の範囲】
【請求項１】
入浴時、浴槽の縁に引っ掛けて幼児(3ヶ月〜2歳頃)をイスに座らせて、安心して体等を洗ったりできるように、幼児(3ヶ月〜2歳頃)が自由に移動できないようにした幼児用イス。また幼児(3ヶ月〜2歳頃)と保護者が同時に湯船につかる時も、イスを浴槽の内側に掛けて幼児(3ヶ月〜2歳頃)をイスに座らせておけば、抱えてなくてもよく、ゆっくりと湯船につかることができる。
【請求項２】
引っ掛ける部分の高さと巾の調整ができるようにして、ほとんどの浴槽にセットできるようにした幼児(3ヶ月〜2歳頃)用イス
【発明の詳細な説明】
【技術分野】
【０００１】
本発明は、イスに引っ掛けを付け、浴槽の縁に掛けて幼児(3ヶ月〜2歳頃)をイスに座らせて、安心して体等を洗ったりできるように、自由に移動できないようにして、保護者と幼児(3ヶ月〜2歳頃)の浴室内での安全とコミュニケーションを取れるようにしたものである。また，保護者と幼児(3ヶ月〜2歳頃)が湯船につかる時もイスを浴槽側に掛けて使う。本発明は、引っ掛ける部分の高さと巾の調整ができるようにしているので、ほとんどの浴槽にセットできるようになっている。
【背景技術】
【０００２】
従来、幼児(3ヶ月〜2歳頃)の入浴は、保護者に支えられて体等を洗っていた。また、保護者の体等を洗うときは、幼児(3ヶ月〜2歳頃)は同時に入浴できなかった。浴室の床に置いて、幼児(3ヶ月〜2歳頃)を座らせるイスはあるが、浴槽の縁に掛けてイス自体を半固定できるイス等はなく、幼児(3ヶ月〜2歳頃)が回りの壁とか浴槽を足等で蹴って、移動するため保護者は、安心して体等を洗うことができなかった。また浴槽内に浮かべて幼児(3ヶ月〜2歳頃)を中心に入れて座らせておく浮き輪式のもあるが、浴槽内のスペースを考えると、保護者と一緒に湯船につかることは、できそうにもない。  
【発明の開示】
【発明が解決しようとする課題】
【０００３】
解決しようとする問題点は、入浴時、幼児(3ヶ月〜2歳頃)と保護者が第三者の手助けを借りずに、二人一緒に同時入浴を、安全に、短時間で自由な時間にできないかということである。昨今の家族の在り方は、核家族化が進み、幼児(3ヶ月〜2歳頃)と保護者（片方の親）だけでの時間が多く、幼児(3ヶ月〜2歳頃)の入浴は保護者(片方の親)だけでは大変苦労するので、それを安心してより簡単にできないかと、いうこと。
【課題を解決するための手段】
【０００４】
本発明は、浴室内の浴槽の縁に、引っ掛けの付いたイスを浴槽の内側又は外側に引っ掛けて、幼児(3ヶ月〜2歳頃)を座らせて自由に移動できないようにすることである。
【発明の効果】
【０００５】
本発明のイスは、このように入浴時、幼児（3ヶ月〜2歳頃）を引っ掛けの付いた半固定できるイスに座らせておけば、幼児(3ヶ月〜2歳頃)は保護者と同時に入浴できて、保護者も安心して体等を洗えて、同時に入浴を済ませることができ、第三者の手を煩わせることもなく簡単にできる。昨今、母子家庭とか、ご主人の帰宅の遅い家庭に於いて等、非常に便利である。また湯船につかる時も浴槽側に掛けて使うと、スペースもあまり必要でなく保護者はゆったりと幼児(3ヶ月〜2歳頃)との入浴を満喫できる。
【発明を実施するための最良の形態】
【０００６】
本発明は、幼児(3ヶ月〜2歳頃)と保護者の同時入浴時での保護者の体等を安心して洗うことを可能にしたイスで、それを図面について説明すれば、浴槽の高さに合わせる為に引っ掛け1の固定用ネジ8で調整して、また浴槽の縁の巾を合わせる為に、引っ掛け1の固定用ネジ9で調整して、両方の調整を行い、幼児(3ヶ月〜2歳頃)を滑り止め付き座5に座らせて、使用するものである。  
【図面の簡単な説明】
【０００７】
【図１】高さと巾の調整できる引っ掛けを付けたイスを横から見た図面である。
【図２】高さと巾の調整できる引っ掛けを付けたイスを上から見た図面である。
【図３】高さと巾の調整できる引っ掛けをつけたイスを正面から見た図面である。
【図４】高さと巾の調整できる引っ掛けを付けたイスを後ろから見た図面である。
【符号の説明】
【０００８】
１    高さと巾の調整できる引っ掛け
２    イス全体
３    足を出す穴
４    保護用手摺
５    滑り止め付き座    
6          
緩衝材(下部用)
7          
緩衝材(上部用)
8          
高さ調製用ネジ
9          
巾調整用ネジ
【図１】
2005160906.tif 000003
【図２】
2005160906.tif 000004
【図３】
2005160906.tif 000005
【図４】
2005160906.tif 000006
(57)【要約】【課題】  積み上げられた状態で置かれた繊維類から、目的物をその上下にある繊維類の状態を崩さずに引き出せる容器を提供する。【解決手段】  下段から上段へと順次積まれた繊維製品の間で、繊維製品間にある目的物を取り出すために生じる摩擦、引っ掛かりを断ちきるために、表面の滑りやすい板を繊維製品間にはさむことにより、目的の繊維製品を引き出しても目的物に接している面がなめらかな板のため、目的物をはさむ両製品の位置を崩すことなく引き出せる。また、板は板の後縁で背板に接し、板の一部が背板に収納される事により上下に移動可能で、強く板を引けばその板を引き出せ、取り外せる状態にある。積まれた製品の間から製品が抜かれて生じた空間は、上段の製品の重さで上段の板が落下し空間を埋め、常に必要最小限の容積に収まる。【選択図】図１
2005160995.tif 000002
【特許請求の範囲】
【請求項１】
繊維製品同士を直接接触させない為に、繊維製品間に表面が円滑な棚板をはさみ、棚板、繊維物、棚板、繊維物と交互に配置し組み合わせた物で、棚板の後縁の背板と接する部分に突起を設け、その突起は背板に設けられた突起を収納する部分に収容され、棚板は突起の背板に収納された部分で上下に移動可能であり、また前縁方向の移動に対しては突起を収納する部分に突起を通過させる際に抵抗をもたせる軟質な物質による突起収納開閉部を設けたもので、棚板を取り出すには繊維製品を取り出す以上の力を持って引き出さなければならない構造をもった収納容器。
【発明の詳細な説明】
【発明の詳細な説明】
【産業上の利用分野】
【０００１】  本発明は、繊維製品の収納、取り出し、陳列に関し、前記各作業においても、整然とした収納状態を維持し、また本発明利用で目的の製品を容易に取り出し易くできるため、陳列においても積み上げられた製品をより自由に取り出し、手にする事ができるような収納容器を提供するものである。
【背景技術】
【０００２】  繊維類の収納は、繊維製品同士が密着した状態においては、繊維製品同士が滑りにくくからみやすい為、目的の製品を取り出す時、目的の製品に接する他の製品も引きずられて出て来るので、目的外の製品を押しもどす手間を生じ、また、そのために製品が崩れ整然とした収納状態を維持する事は困難であった。また製品が次々に上へと積み重ねられた状態での収納は、取り易い上段から利用される傾向にあった。
【発明が解決しようとする課題】
【０００３】  繊維類の収納時、下段からその上段へと順次積み重ねた製品から、下段に積み重ねられた目的の製品を取り出す時、目的の製品に接する上下の製品を一緒に引き出すこともなく取り出せる事ができ、また収納に必要な容積を最小限にできる収納容器を提供する。
【課題を解決するための手段】
【０００４】  上記の課題を解決するために、下段から上段へと順次積まれた繊維製品で、繊維製品間の目的物を取り出すために生じる摩擦、引っ掛かりを断ちきるために、表面をなめらかな滑りやすい板を繊維製品間にはさむことにより、目的の繊維製品を引き出しても目的物に接しているのはなめらかな板のため、目的物をはさむ両製品の位置を崩すことなく引き出せる。また、棚板は棚板後縁で背板と結合し、上下に移動可能で、また強く棚板を引けば背板を分離し、取り出せ、取り外せる状態にする。積まれた製品の間から製品が抜かれて生じた空間は、上段の製品の重さで上段の板が落下し空間を埋め、常に必要最小限の容積に収まる
【発明を実施するための最良の形態】
【０００５】以下本発明の実施の形態を図面に基づいて説明する。
図１は繊維製品を載せる棚板１と棚板１を攴える背板２を示す。
図２は棚板１とそれを支える背板２との接する状態を示す。棚板１の一端に突起部５があり、突起部５は背板２の突起収納部４の出入り口である突起収納開閉部６に接触し、押しのけるように出、入れする。棚板１は突起部５を介して、背板２の凹みの空間である突起収納部４に入ることで背板２と接し、上下に自由に動く状態にある。
突起収納開閉部６は突起部５が背板２から容易に離れ抜けないような程度の柔軟性を持つゴムやプラスチック類を使用する。
【発明の作用、効果】
【０００６】これには次のような効果がある。
（イ）  本発明により、繊維製品の積み上げられた内から目的の製品がどの位置にあっても、目的の製品の上段、下段のある製品を崩すことなく容易に取り出せる。
（ロ）  新しい品を上へ上へと積み重ねられた状態でも、古い品、下段の品を容易に取り出せる。
（ハ）  棚板に色付きの物を使用する事により、また棚板前面に名前のプレートをつける事により収納される品の区別が容易にできる。
【図面の簡単な説明】
【図１】  繊維製品を載せる棚板１と棚板１を支える背板２を示す。
【図２】  棚板１とそれを支える背板２との接する前の状態を示す。
【図３】  棚板１の突起部５がそれを支える背板２の凹みの空間，突起収納部４に収納された状態を示す。
【図４】  棚板１の突起部５の側面図の部分。
【図５】  繊維製品を収納した状態を示す。
【符号の説明】
１・・・棚板
２・・・背板
３・・・底板
４・・・突起収納部
５・・・棚板の突起部
６・・・突起収納開閉部
【図１】
2005160995.tif 000003
【図２】
2005160995.tif 000004
【図３】
2005160995.tif 000005
【図４】
2005160995.tif 000006
【図５】
2005160995.tif 000007
(57)【要約】  従来の掛け布団では、身体の肩の部分の冷えを回避するためには、布団を顔面付近にまで掛けなければならなかった。  その欠点を解決する為に、肩まで充分に保温出来る面積を持ち、なおかつ頭部や顔面を覆わない構造の掛け布団を作成する事により、肩及び、頭部と顔面以外の身体部位を効果的に保温し、より快適な入眠を促進する効果を生み出した。【課題】  顔面部、及び頭部は外気に触れたままで、肩や身体の広範囲を快適に保温する事を、可能ならしめようとするものである。【解決手段】  両肩の部位を保温するのに充分な面積を有する、肩掛け布団となる部位を従来の掛け布団の形状に延長して作成する手段を講じたものである。【選択図】  図２
2005160996.tif 000002
【特許請求の範囲】
【請求項１】
略長方形に形成した掛け布団の一短辺に、肩掛け布団となる部位（２）を延長した、肩掛け付き掛け布団。
【発明の詳細な説明】
【発明の詳細な説明】
【技術分野】
【０００１】  本発明は、身体を保温する掛け布団に、新たなる部位を延長することにより、従来の掛け布団に存在した保温上の欠点を解決しようとするものである。
【背景技術】
【０００２】  従来の掛け布団では、身体の肩の部分の冷えを回避するためには、布団を顔面付近にまで掛けなければならなかった。しかしながら、そのようにすると顔面部および頭部が過剰に保温され過ぎて、不快感を発生し、また呼吸が困難となり、その結果として、掛け布団の縁を、再び肩の付近まで下げ、再び寒さを感じたら掛け布団の縁を持ち上げる、という事を繰り返さざるを得なかった。
【発明が解決しようとする課題】
【０００３】  顔面部や頭部は外気に触れたままで、肩全体をも快適に保温する事を可能ならしめようとするものである。
【課題を解決する為の手段】
【０００４】  従来の略長方形に形成された掛け布団の一短辺に、頭部を除く両肩の部位を、充分に保温できる面積の、肩掛け布団となる部位を、延長する手段を講じたものである。
【発明を実施するための最良の形態】
【０００５】  以下、本発明の実施の形態を図示例に基づいて説明する。
図１のように略長方形に形成された掛け布団の一短辺に肩掛け布団となる部位の長さを約３５センチメートル延長する事により、両肩の上部にまで肩掛け付き掛け布団をかけた時に、肩が充分に保温されることになる。
同じく図１の平面図に見られる、頭部が被覆しないために凹型の形状をなした部位の底辺の横幅寸法は、約３５センチメートルとする。
ただし、これらの寸法は日本人の成人の平均体型を元に算出したものであり、子供や、平均体型を大きく上回る体型の場合にはその限りではない。
図２の実施例のように、本発明の掛け布団（１）を使用した場合には、（２）の部位の形状の効果により、肩まで充分に保温をする事が可能となる、と同時に顔面や頭部に過剰保温による不快感や呼吸の困難を生じなくて済むものである。
【発明の効果】
【０００６】  以上に述べたように、本発明は、肩まで充分に保温が出来る面積を持ち、かつまた、それが顔面や頭部を覆わない布団の形状を作成する事により、従来の掛け布団よりも顔面と頭部以外の身体部位に対する効率的な保温効率を生み出した。
その結果として、肩の保温の為に掛け布団を上げ下げするといった従来の掛け布団を使用した際に、一般的に行われていた、不快回避の為の行動を不要のものとし、その結果、快適な入眠をも得られる事になる。
なお本発明は、従来の掛け布団に着脱式の襟カバー等を装着するものではなく肩掛け布団となる部位は、掛け布団全体と一体のものとして作成される。
その理由は、従来の掛け布団に着脱式で肩掛け布団となる部位を装着する方式では、手持ちの掛け布団との色柄や質感の統一性が損なわれるからである。
また、本発明と同様の効果を得るために、掛け布団に首を通すための開口部の孔をあけたりスリットを付けるといった手段を講じない理由は、本発明のように一短辺が、おおむね凹型の形状をなした肩掛け付き掛け布団の方が、実際の作成が容易であり、かつ、使い心地が快適だからである。
【図面の簡単な説明】
【図１】本発明の平面図である。
【図２】本発明の実施例を表す斜視図である。
【符号の説明】
１・・・肩掛け付き掛け布団の全体
２・・・肩掛け布団となる部位
３・・・敷布団
【図１】
2005160996.tif 000003
【図２】
2005160996.tif 000004
(57)【要約】【課題】本発明は、鋏を用いた厚みのある、紙  布  皮  ビニール  ゴム板などの素材の裁断にかかる労力を軽減するために、裁断する全ての距離を、鋏を握って運動させながらきり進む必要のない鋏を提供する。【解決手段】重なる二枚の鋏刃（１）（２）の内側支点ちかくに柄（４〜５）（６〜７）を切り、間に、鋭利な替え刃（３）を挟み込み、一方の鋏刃に固定する。【選択図】図２
2005160997.tif 000002
【特許請求の範囲】
【請求項１】
二枚の鋏刃の間に、鋭利な替え刃を設けた鋏。
【発明の詳細な説明】
【発明の詳細な説明】
【技術分野】
【０００１】本発明は、鋏を用いた、厚みのある素材、紙  布  皮  ビニール  ゴム板などの裁断に  関するものである。
【背景技術】
【０００２】従来は万能バサミやクラフトバサミと称される鋏で裁断していた。
【発明が解決しようとする課題】
【０００３】厚みのある素材を裁断する鋏は、裁断に力を要すため、布を切る裁ち鋏のように長い刃を持たず、力を入れて何度も握って少しずつ切り進む必要があった。結果  仕事などで日常的に使用すると腱鞘炎などになることがあり本発明は、これらの問題点を解決するためになされたものである。
【課題を解決するための手段】
【０００４】重なる二枚の鋏刃（１）（２）の内側支点ちかくに柄（４〜５）（６〜７）を切り、間に  鋭利な替え刃（３）を挟みこみ、一方の鋏刃に固定する  。
【発明を実施するための最良の形態】
【０００５】重なる二枚の鋏刃（１）（２）の内側支点ちかくに柄（４〜５）（６〜７）を切り、間に鋭利な替え刃（３）を挟みこみ、一方の  鋏刃に固定する。本発明は以上の構成からなる。本発明を使用する場合は、裁ち鋏で布を裁断する要領で、直線は鋏を開いたまま奥の替え刃を使って切り進み、カーブなどは普通に鋏を握って運動させながら切りすすむ。
【発明の効果】
【０００６】厚い素材の裁断においても、切る距離全て鋏を握って運動させる必要がなくなり労力が軽減される。
【図面の簡単な説明】
【図１】  本発明の正面図
【図２】  本発明の要部拡大の正面図
【符号の説明】
（１）（２）鋏刃  （３）替え刃  （４〜５）（６〜７）柄
【図１】
2005160997.tif 000003
【図２】
2005160997.tif 000004
(57)【要約】【課題】  果物等の皮をむく際、手の指を果物ナイフ等で切るケガを防ぐ為に発明されたものである。  近年、大人に成っても果物の皮をむく事の出来ない人が多くなった。低学年の時、包丁や、果物ナイフ等で、指等ケガをした、後遺症で、包丁、果物ナイフ等を上手に扱う事が出来ない【解決手段】  本発明の、皮むき練習補助器具を用いると、包丁、果物ナイフ等の刃先の部分に指を保護する部材を設けてある。  部材と、刃先の間幅は、果物を剥いた皮が用意に通る事が出来る幅としている。  上記記述した、部材と刃先間の幅は、指の大きさより小さい為、指が刃先に触れる事が無い。【選択図】  図１
2005160992.tif 000002
【特許請求の範囲】
【請求項１】
果物ナイフに取り付け指を保護する部材、ナイフ刃先に対して部材に果物の皮をむく為のナイフの切り込み、折衝角度を持たせた皮むき練習補助器具
【発明の詳細な説明】
【技術分野】
【０００１】  本発明は野菜、果物の皮を剥くナイフ、包丁、家庭金物に関する
【背景技術】
【０００２】  従来、皮むき器具では、果物、野菜等をむく為の皮むき専用の器具等が色々市場にでている。【０００３】  一部包丁等の取り付け使用する、包丁用皮むき器が有る、皮の厚さを変える事等の工夫がしている物も有る【０００３】  野菜、果物の専用の皮むき器では、指等を誤って切るケガ等が、少ないが、一部包丁に、取り付けて使用する皮むき器では、包丁の取り扱いを誤ると、指等を切るケガがあった。【０００４】  上記記述のように、包丁、果物ナイフ等で皮を剥く時刃先から、指を守る部材等の付いた包丁、果物ナイフが無かった。【０００５】  包丁、果物ナイフ等で、皮を剥く作業で指を切るケガが多い為、手を守る為に皮むき専用の皮むき器がある。
【特許文献１】特願平０８−０５０７３７  出願番号
【特許文献１】特願２００２−０３０５９７  出願番号
【発明の開示】
【発明が解決しようとする課題】
【０００６】  近年、大人になっても、包丁、ナイフ等で野菜、果物等の皮をむく事の出来ない人が多くなった。
低学年の子供の時、包丁、果物ナイフ等で指を切る等のケガをした、経験が有る為に、包丁、ナイフ等を上手に使えない後遺症を持った人が多い。
【発明が解決しようとする課題】
【０００７】  本発明は、低学年の子供が、初めて果物の皮を果物ナイフ、子供用包丁で皮を剥く際、誤って指を切る事の無いよう、指を保護する部材を設けた事にある。
【発明の効果】
【０００８】  本発明の、皮むき練習器具は、包丁、ナイフ等に取り付けて使用する。
皮むき練習器具部材は、刃先を蔽う用に取り付けて使用する為に、指等が、刃先に触れる事が無い。
又、皮むき練習器具部材は、ナイフ刃先に対して部材に果物の皮をむく為の切り込み折衝角度を持たせた事により用意に皮を剥く事が出来る、皮むき練習補助器具である。
【発明を実施するための最良の形態】
【０００９】  皮むき練習補助器具を用いると、包丁果物ナイフ等の刃先に指が触れる事が無く、刃先による切るケガの恐怖心を取り除く事が出来、子供の指を守るため最小限の部品、安価で製作出来、安全、安心を実現した。
【実施例１】
【００１０】  図１は、本発明の皮むき練習器具部材１を果物ナイフに取り付けた斜視図
図２は、本発明の皮むき練習器具斜視図であり、３はナイフ刃先に対して部材に果物の皮をむく為の切り込み折衝角度【００１１】  プラスチック性で包丁、果物ナイフ等に取り付け取り外しが簡単な、指のけがから指を守る部材（１）設けた皮むき練習補助器具【００１２】  指を守る部材（１）は、包丁、果物ナイフ等の先端から、部材を柄の方向に挿入装着する。【００１３】  指を守る部材（１）の包丁を差し込む挿入幅は、包丁幅の大きさとする。【００１４】  指を守る部材（１）の果物ナイフを差し込む挿入幅は、果物ナイフ幅とする。【００１５】  上記、記述のように、指を守る部材（１）を装着し野菜、果物の皮をむく際、包丁の刃先の部分に、部材が設けて有る為、親指等が刃先に当たる事を避け、指等を切る等のケガから指を守る事が出来る。【００１６】  皮むき練習補助器具の指を守る部材（１）は、透明プラスチック板とする。【００１７】  皮むき練習補助器具の指を守る部材（１）の透明プラスチック板は、刃先に対し４０度から４５度の角度上向きに曲げ皮剥き切り込み折衝角度とする。【００１８】  皮むき練習補助器具の指を守る部材（１）を装着した時の部材と刃先の幅は、むいた皮が楽に通る事の出来る幅で、７ｍｍから１５ｍｍ程度が適している。【００１９】皮むき練習補助器具の指を守る部材（１）は、刃先から指を守る部材長さは、２５ｍｍから４０ｍｍの刃先が出る程度の長さが適している。【００２０】  皮むき練習補助器具は、上記記述した構造を持つ金属等でも良い。【００２１】  皮むき練習補助器具は、上記記述した構造を持つセラミックス等でも良い。【００２２】  皮むき練習補助器具を、セラミックス等で製作し果物ナイフを差し込む挿入部の刃先の当たる、部分のセラミックを刃先と同じ角度としナイフを押したり引いたりする事で果物ナイフ等を研ぐ事が出来る
【産業上の利用可能性】
【００２３】  本、発明の、皮むき練習補助器具は、果物ナイフ等に、取り付け果物の皮をむく、果物等の皮に刃先を当て、皮をむく切り込み折衝角度の、感覚を覚え、果物等の皮がガイドと刃先の間から出て来る、果物の皮を親指で皮を送り皮むく練習をする。
皮むき練習補助器具を用いると、包丁果物ナイフ等の刃先に指が触れる事が無く、刃先による切るケガの恐怖心を取り除く、包丁、果物ナイフの取り扱いが上手に出来る様になる。
【図面の簡単な説明】
【００２４】
【図１】本発明の皮むき練習補助器具を果物ナイフに取り付けた斜視図
【図２】皮むき練習補助器具の斜視図
【図３】皮をむくナイフの、切り込み折衝角度の標示図
【符号の説明】
【００２５】１  指を守る部材
２  果物ナイフ
３  皮をむく切り込み折衝角度
【図１】
2005160992.tif 000003
【図２】
2005160992.tif 000004
【図３】
2005160992.tif 000005
(57)【要約】【課題】体の患部に貼付することによって筋肉痛等の痛みをとる鎮痛消炎用テープを提供する。【解決手段】片面に粘着剤を施した薄く柔らかい紙等の素材から成るテープの接着面に、素材と同質の先端部分が先鋭な若しくは、それにちかい複数個の突起を設けたことを特徴とする。【選択図】図１
2005160998.tif 000002
【特許請求の範囲】
【請求項１】
片面に粘着剤を施した薄く柔らかい紙等の素材から成るテープの接着面に、素材と同質の先端部分が先鋭にちかい複数個の突起を設けたことを特徴とする鎮痛消炎用テープ。
【発明の詳細な説明】
【技術分野】
【０００１】本発明は、体の患部に貼付することによって筋肉痛等の痛みをとる鎮痛消炎用テープに関するものである。
【背景技術】
【０００２】  従来、鍼治療の分野には、皮内鍼そして円皮鍼（これらは俗称でおき鍼と呼ばれている）という非常に短くて小さいもので、先端をほんの少しだけ皮膚に刺入して、上からテープを貼付しただけで、素晴らしい鎮痛消炎効果があるものがあった。
【発明の開示】
【発明が解決しようとする問題】
【０００３】  そのためには、次のような問題点があった。
（イ）鍼治療ときいただけで、裁縫の針をイメージして恐怖感を覚え、これを拒む人がかなり多い。
（ロ）専門家に委ねなくてはならず、出向することや、或いは高額料金をとられるのではないかと敬遠する人がいる。
本発明は、これらの問題点を解決するためになされたものである。
【課題を解決するための手段】
【０００４】  片面に粘着剤を施した薄く柔らかい紙等の素材から成るテープの接着面に、素材と同質の先端部分が先鋭な、若しくは、それにちかい複数個の突起を設けたことを特徴とする鎮痛消炎用のテープである。
【発明の効果】
【０００５】  上記のように構成した、この鎮痛消炎用のテープの接着面を筋肉痛・ギックリ腰等の痛む場所に貼付して、反対側より適度に押圧すると、接着面に設けられた先鋭な複数の突起が、恰もおき鍼のように刺激、患部の痛みが、除去乃至著しく軽減した。
【発明を実施するための最良の形態】
【０００６】  以下、本発明の実施の形態について説明する。
（イ）テープ（１）の片面に複数個の突起（２）を設け、更にはその上に粘着剤（３）を薄く塗布する。
（ロ）そうした物を、極く薄い柔らかい剥離用紙（４）に貼付しておく。
本発明は以上のような構成で、これを使用するときは、先ず剥離用紙（４）を剥がし、鎮痛消炎用テープの粘着面を痛む場所・患部に貼付する。そして反対側より適度に押圧して、そのまま貼付しておけば突起（２）部分の刺激で、ゲートコントロール学説論理の如く、おき鍼とおなじように痛みが消失、若しくは著しい軽快をみることができる。
【実施例１】
【０００７】  以上のような方法で貼付した鎮痛消炎用テープは通常２日から７日ぐらいのあいだに剥離する。しかし、貼付された本人が痒みとか違和感などを感じるときは、適宜剥離する。
【図面の簡単な説明】
【０００８】
【図１】本発明の剥離用紙を剥がした状態の斜視図
【図２】本発明の側面図
【図３】本発明の使用状態を示した説明図
【図４】本発明の使用状態を示した説明図
【符号の説明】
【０００９】    １  テープ
２  突起
３  接着剤
４  剥離用紙
【図１】
2005160998.tif 000003
【図２】
2005160998.tif 000004
【図３】
2005160998.tif 000005
【図４】
2005160998.tif 000006
(57)【要約】【課題】    従来の湿布薬を効果的なものにする為に、シートの表または、裏側に縦、横、斜めを加えた線状の模様を設けることを提供する。【解決手段】    従来の湿布シート（１）の表または、裏側に縦、横、斜めを加えた線状の模様（２）を設けることを特徴とする。【選択図】    図１
2005161000.tif 000002
【特許請求の範囲】
【請求項１】
いろいろな種類の湿布薬がありますが、この従来の湿布シート（１）の表または、裏側に縦、横、斜めを加えた線状の模様（２）を設けることによって、治療の効果を加えたもの。
【請求項２】
縦、横、斜めを加えた線状の模様
【発明の詳細な説明】
【発明の詳細な説明】
【技術分野】
【０００１】この発明は、人体が、模様を読み取ることが出来るのではないか、という発想をもとに、痛みのある部位に、この模様を当てることにより、痛みが楽に出来た事によるものです。
そして、湿布薬に、その模様を付けることを考えました。
それは、いろいろな種類の湿布薬がありますが、従来の湿布シート（１）の表または、裏側に縦、横、斜めを加えた線状の模様を、設けることにより、治療の効果を加えたものである。
【背景技術】
【０００２】  従来の湿布シートは、無地であり模様で治療する考えがない。
【発明が解決しようとする課題】
【０００３】  従来の湿布薬は、一時的に気持ちは良いが、治療の効能は少ない。
本発明は、以上のような欠点を少しでも良いものに、出来ないかと考え付いたものである。
【課題を解決する為の手段】
【０００４】  いろいろな種類の湿布薬がありますが、従来の湿布シート（１）の表または裏側に縦、横、斜めを加えた線状の模様を設けることにより、治療効果を高めたもの。
この模様付き湿布シートは、痛みのある部位に貼れば良い。
【発明を実施するための最良の形態】
【０００５】  以下、本発明の実施の形態について説明する。
従来の湿布シート（１）の表または、裏側に縦、横、斜めを加えた線状の模様（２）を設ける。
本発明は、以上のような構造でこれを使用するときは、痛みのある部位に貼れば良い。
【発明の効果】
【０００６】  この模様を直接、肌に付けなくてもシートの上からでも効果があります。
いろいろある従来の湿布シートの表または、裏側に設けることによって、より良い効果がプラスされるものである。
この形状は、直接、肌に付けなくても効くと言う利点があるので、他にも利用できる。
【図面の簡単な説明】
【図１】  本発明の縦、横、斜めを加えた線状の模様である。
【図２】  本発明の表側に、この模様を設けた場合の断面図である。
【図３】  本発明の裏側に、この模様を設けた場合の断面図である。
【符号の説明】
１  従来の湿布シート
２  縦、横、斜めを加えた線状の模様
【図１】
2005161000.tif 000003
【図２】
2005161000.tif 000004
【図３】
2005161000.tif 000005
(57)【要約】【課題】  基台に貫通穴を設けて、別に設けた支柱を貫通穴に出し入れ停止することによって、寝床人等が遊戯ができて、手、神経、頭脳等のリハビリ効果が期待できる遊戯具を提供する。【解決手段】  基台Ａの上面部１、下面部２に罫線５を設け、罫線５の交点６に貫通穴７を設けて、これとは別に設けた支柱Ｂとを１組としたことを特徴とする。【選択図】      図１
2005160987.tif 000002
【特許請求の範囲】
【請求項１】
（イ）略方形状の基台の上面部と下面部の縦位置と横位置に罫線を設ける。
（ロ）罫線の交点の上面部と下面部に貫通穴を設ける。
（ハ）これとは別に略円柱形状の支柱を設ける。
上記のように構成したものを一組としたことを特徴とする遊戯具。
【発明の詳細な説明】
【技術分野】
【０００１】  本発明は基台を使用して遊戯する遊戯具に関するものである。
【背景技術】
【０００２】  従来使用されている遊戯具はトランプ、花札、碁、将棋、オセロ、チェス等が多種提供されている。
【発明が解決しようとする課題】
【０００３】  しかし、これらの遊戯具には次のような欠点があった。
ａ．基台の上面部しか使用できなかった。
ｂ．基台を平面状にしか使用できなかった。
ｃ．寝床人、介護人は不自然な姿勢で使用していた。
ｄ．肉体的なリハビリ効果が期待しにくかった。
ｅ．指定した遊戯にしか使用できなかった。
本発明は基台の上面部と下面部の縦位置と横位置に罫線を設け、罫線の交点の上面部と下面部に貫通穴を設けて、別に設けた支柱を貫通穴に挿脱、停め表示することができる遊戯具を提供する。
【課題を解決するための手段】
【０００４】  上記、目的を達成するため本発明は基台Ａの上面部１と下面部２の縦位置３と横位置４に罫線５を設け、罫線５の交点６の上面部１と下面部２に貫通穴７を設け、これとは別に支柱Ｂを設けて一組にしたものである。
【発明の効果】
【０００５】ａ．基台の上面部、下面部の使用ができる。
ｂ．基台を傾斜、立体等の状況で使用できる。
ｃ．寝床人、介護人等が自然な姿勢で使用できる。
ｄ．貫通穴に支柱を出し入れすることで体のリハビリ効果が期待できる。
ｅ．いろいろな遊戯として使用できる。
【発明を実施するための最良の形態】
【０００６】  上記のように構成された本発明は、実際に使用する場合には次のようになる。図１に示したように基台Ａの上面部１と下面部２の縦位置３と横位置４に罫線５を設けて、罫線５の交点６の上面部１と下面部２に貫通穴７を設け、別に設けた支柱Ｂを貫通穴７に出し入れ停止することによって基台Ａの上面部１、下面部２の配列、位置等の確認、判断ができるものである。
【実施例】
【０００７】  以下、本発明の実施例を図面に基づいて説明する。図１は本発明の斜視図、図２は本発明の正面図、図３は本発明の断面図、図４は本発明の使用状態を示した図で、図中符号Ａは基台、１は上面部、２は下面部、３は縦位置、４は横位置、５は罫線、６は交点、７は貫通穴、Ｂは支柱を示す。【０００８】  基台、支柱に凹凸、突起部等を設けることも限定はしない。【０００９】  基台に保持部材等を装着自在に設けることも限定はしない。【００１０】  基台に円周縁等を設けることも限定はしない。【００１１】  支柱の上面、底面を異なった意匠にすることも限定はしない。【００１２】  基台の桝目位置等に貫通穴を設けることも限定はしない。【００１３】  貫通穴に停止部材等を設けることもできる。【００１４】  貫通穴を略角形状にすることもでき、テーパー状等にすることもできる。【００１５】  支柱を略角形状にすることもでき、くびれ、曲成、取り付け部等を設けることも可能である。【００１６】  基台を略円形状にすることも、枠、枠線等を設けることも可能である。【００１７】  尚、本発明は以上の実施例に限ることなく本発明の技術思想に基づいて種々の設計変更が可能である。
【図面の簡単な説明】
【００１８】
【図１】本発明の斜視図である。
【図２】本発明の正面図である。
【図３】本発明の断面図である。
【図４】本発明の使用状態を示した図である。
【符号の説明】
【００１９】Ａ  基台
１  上面部
２  下面部
３  縦位置
４  横位置
６  罫線
６  交点
７  貫通穴
Ｂ  支柱
【図１】
2005160987.tif 000003
【図２】
2005160987.tif 000004
【図３】
2005160987.tif 000005
【図４】
2005160987.tif 000006
(57)【要約】【課題】  従来の防塵マスクのままでは、装着時に蒸れることにより汗が溜まった。これにより使用者に不快感を与えてしまうという問題があった。【解決手段】  防塵マスクと肌の接触面との間に、蒸れにくくするか、吸水性の良いシートを挟み込むことにより、防塵マスクと肌との間に汗が溜まりにくくなる。これにより使用者に与える不快感を軽減することができる。【選択図】図４
2005160976.tif 000002
【特許請求の範囲】
【請求項１】
防麈マスクを使用する際に、マスクと皮膚の接触部分との間に挟み込むシート
【請求項２】
接着面を有し、防塵マスクに貼り付けることができる請求項１のシート
【発明の詳細な説明】
【発明の詳細な説明】
【技術分野】
【０００１】  本発明は、一般の防塵マスクの装着時における不快感の解消を図った防塵マスク
用のシートに関する。
【背景技術】
【０００２】  従来の防塵マスクの装着部分は密閉性を高めるため、プラスチックや合成ゴム製のものが多い。【０００３】
【特許文献１】
【非特許文献１】
【発明が解決しようとする課題】
【０００４】  以上に述べた防塵マスクではマスクと皮膚の接触部分に汗が溜まり、使用者にとって防塵マスクの装着を不快にするものであった。
【０００５】  本発明は、このような防塵マスク装着時の不快感を軽減し、使用者に快適な長時間のマスクの使用を実現することを目的とするものである。
【課題を解決するための手段】
【０００６】  そして、本発明は上記の目的を達成するために、防塵マスクと肌との接触面に蒸れにくくするシートか、吸水性の良いシートを挟み、汗を吸収する。
これにより、使用者に防塵マスク装着時の不快感を軽減することができる。
【発明を実施するための最良の形態】
【０００７】  以下、本発明の実施の形態を図１〜図４に基づいて説明する。【０００８】  図２において１は防塵マスクの装着部分である。図３は本発明のシートである。これは、防塵マスクの装着部分の外周部の形状に合わせた形をしており、中央部分は呼吸用に穴が開いている。【０００９】  以下、本発明の使用方法を説明する。図４のように、装着部分１で肌に接する面の上に、図２の本発明のシートを置く、又は接着させる。【００１０】  防塵マスクの装着部分１と、肌の間に本発明のシートが挟み込まれるようにして、防塵マスクを装着する。【００１１】これにより、防塵マスク装着時に発生した汗はシートで吸収され、防塵マスク装着による汗の不快感が軽減されるものである。
【発明の効果】
【００１２】  上述したように本発明のシートは、防塵マスクを装着した際に発生する汗を吸収し、防塵マスクの装着による使用者の不快感を軽減することができる。
【図面の簡単な説明】
【図１】一般的な防塵マスクの外観図
【図２】防塵マスクの装着面からみた外観図
【図３】本発明のシートの外観図
【図４】本発明を装着した防塵マスクの外観図
【符号の説明】
１  防塵マスクの装着部分
【図１】
2005160976.tif 000003
【図２】
2005160976.tif 000004
【図３】
2005160976.tif 000005
【図４】
2005160976.tif 000006
(57)【要約】【課題】  従来の集合住宅等では出前の食器の返却について決められた置き場所が少なく置場所に問題があった。【解決手段】エントランスのコーナーの集合郵便受けの下部や左右等に出前の食器の返却ユニットを設置して、出前での返却する食器が出前を取った入居者が留守でも更にオートロックされた建物内部に入らなくても回収できる。【選択図】図１
2005160974.tif 000002
【特許請求の範囲】
【請求項１】
集合住宅等の集合郵便受けの下部及び左右等に入居者が出前で取った食器の返却スペースを設ける構造。
【発明の詳細な説明】
【技術分野】
【０００１】  本発明は、集合住宅等で居住者が料理を出前で取ったあと料理店に返却する食器を集合郵便下部等にスペースを設けた構造に関するものである。
【背景技術】
【０００２】  集合住宅等で出前を取ったあとの食器の返却は、自宅で保管して引き取りに来たときに渡すか、玄関前の廊下に置き引きと取りに来るまで置いていた。集合郵便受け本体の下部及び左右等のスペースは利用される事は少なくここに食器返却のスペースを設けた。
【発明の開示】
【発明が解決しようとする課題】
【０００３】  出前での返却しようとする食器は、居住者が引き取りに来るまで留守に出来ないなど負担で有る。共有部に集合の返却部を設けることにより引き取り時間を気にすることなく留守にすること出来る又自宅玄関前に引き取りに来るまで置いておくことが無くなる。
【課題を解決する為の手段】
【０００４】  本発明は、出前の食器の返却スペースを集合住宅等の共用部に有る集合郵便受けの下部や左右等に設け、居住者が出前で取った食器類を返却スペースに入れて置けるようにした。
【発明の効果】
【０００５】  上述したように本発明により出前業者が食器の回収するときエントランス内部に設置されている集合郵便受けの下部及び左右等に設けた出前の食器返却スペースに返却されておれば、居住者が留守でも引き取ることが出来るし又出前の食器の回収の為にエントランスドアーのオートロックで自由に立ち入る事の出来ない集合住宅内部に入らずに回収できる。出前の食器返却以外にも同様に集合郵便受けの下部及び左右等にスペースを設けることにより管理組合の保管している建築図面や書類等の置きとしても利用できる。
【発明の実施する為の最良の形態】
【０００６】  以下、本発明の実施の形態を図１〜図２に基づいて説明する。
【０００７】  図１においては、オートロックされているエントランスに設置されている集合住宅の郵便物の前入れ裏面取り出し式の集合郵便受け１である。集合郵便受けの下部に箱状の出前食器返却ユニット２を設置して、郵便受け取り出し側の出前食器返却ユニットに引戸や開き戸３を設け、内部に固定又は可動の棚４を設置して出前の返却食器類５を入居者が入れて、出前業者が郵便物投函口側の出前返却ユニットに設置した引き戸又は開き戸６を開けて内部にある返却食器を取り出して回収する。オートロック内部の郵便物取り出し側の出前返却ユニットの戸には錠前等７を取り付けて返却食器を入れる時以外は施錠してエントランスからの郵便物投函口側から出前食器返却ユニットの戸からの進入者を防止する。図２は郵便物前入れ前だし式集合郵便受け８である。郵便物前入れ前だし式の集合郵便受けの下部に出前食器返却ユニット９を設置してユニットの表に引戸又は開き戸１０を設置し、内部に固定又は可動の棚１１を設置して、入居者は出前で取った返却する食器類１２を１０の扉を開けて入れて返却し、出前業者は同じく１０の扉を開けて食器を回収するものである。
【図面の簡単な説明】
【０００８】
【図１】  郵便物の前入れ裏面取り出し式の集合郵便受けと下部に設置した出前食器回収ユニットの郵便物投函側と郵便物取り出し側の姿図及び断面図
【図２】  郵便物前入れ前出し式の集合郵便受けと下部に設置した出前食器回収ユニットの姿図及び断面図
【符号の説明】
【０００９】    １    郵便物の前入れ裏面取り出し式集合郵便受け
２    出前食器返却ユニット
３    郵便物取り出し側の出前食器返却ユニットの開き戸
４    固定又は移動の棚
５    返却食器類
６    郵便物投函側の出前食器返却ユニットの開き戸
７    錠前
８    郵便物前入れ前出し式集合郵便受け
９    郵便物前入れ前出し式の出前食器返却ユニット
１０  郵便物前入れ前出し式の出前食器返却ユニットの開き戸
１１  郵便物前入れ前出し式の出前食器返却ユニットの固定又は移動の棚
１２  返却食器類
【図１】
2005160974.tif 000003
【図２】
2005160974.tif 000004
(57)【要約】【目的】  予め張られた紐を頼りに線を引くとき、紐の上に石灰を落下させずに、紐に添って正確に且つ綺麗に線を引くことができるラインマーカーを提供するものである。【構成】  外方向に折り曲げられ形成された握り部４と、金具３に上下動自在に嵌挿入される中央部５と、この中央部５の下方で架設された横幹６と、該横幹下方はコ字形を呈する開脚７とした線材を折り曲げて形成したガイドを、本体前面の金具３に取付け、また、金具３に上下動自在に嵌挿入される中央部５に、最大で線幹の太さの半分程度内方向に反らした湾曲部を形成したことを特徴とするラインマーカー。【選択図】  図１
2005160978.tif 000002
【特許請求の範囲】
【請求項１】
外方向に折り曲げ形成された握り部４と、
後記金具３に上下動自在に嵌挿入される中央部５と、
この中央部５の下方で架設された横幹６と、
該横幹６下方はコ字形を呈する開脚７に形成したガイドを、本体前面に設けた金具３に取付けたことを特徴とするラインマーカー。
【請求項２】
金具３に上下動自在に嵌挿入される中央部５に、最大で線幹の太さの半分程度、内方向に反らした湾曲部を形成した請求項１記載のラインマーカー。
【発明の詳細な説明】
【発明の詳細な説明】
【技術分野】
【０００１】  本発明は、各種の運動競技でグランド面に線を引くためのラインマーカーに関するものである。線引きを必要とする屋外の運動競技は種々のものがあり、各競技にはそれぞれ規定があり、その線幅は異なっている。
例えば、野球やソフトボール競技は７．６２Ｃｍ、バレーボールや陸上競技では５．０Ｃｍであり、バトミントン競技では３．８Ｃｍである。
【背景技術】
【０００２】  そこで、これらの線幅の違いに合わせて正確な線を引けるよう対応したラインマーカーが求められ、各種の考案がなされて来た。その中で、実公昭５６−５１８８９号等が効果の点で高い評価がなされている。
しかしながら、線幅に関係無く直線的に、正確に且つ綺麗に線を引くことは至難の技で、かなりの経験を必要としている。したがって、線を引くラインに紐を張り、この紐を頼りに線を引くようになってきている。
【発明が解決しようとする課題】
【０００３】  紐を頼りに線を引くことは、直線的に正確に線を引くことができても、紐を外すと、紐の部分には線が引かれていないため、再度その部分を引き直さなければならない欠点が有った。
そこで本発明は、これらの問題点を取除いたラインマーカーを提供しようとするもので、線幅とは関係無く、紐を頼りに線を引くとき、紐の上に石灰を落下させるのではなく、紐に添って正確に線を引くことができるようにするものである。
【課題を解決するための手段】
【０００４】  本発明は、各線幅のラインマーカーに使用でき、前記目的を達成するために、外方向に折り曲げられて形成された握り部と、後記の金具に上下動自在に嵌挿入される中央部と、この中央部の下方で架設された横幹と、該横幹下方はコ字形を呈する開脚とした線幹を折り曲げて形成したガイドを、本体前面に設けられた金具に取付けている。
【０００５】  また、金具に上下動自在に嵌挿入される中央部に、最大で線幹の太さの半分程度、内方向に反らした湾曲部を形成し課題を解決するための手段としている。
【発明を実施するための最良の形態】
【０００６】  本発明ラインマーカーの実施の形態について図面を参照して詳細に説明する。
図１は、補助輪付きのラインマーカーに本発明を実施した形態を示し、本体１の前面２の縦長手方向中央よりやや下方に、両側部に後記ガイド線幹用の嵌挿入孔を形成した金具３を一体的に取付けている。【０００７】  この金具の前記孔に嵌挿入されるガイドは線材で作られ、線幹を外方向に折り曲げ形成された握り部４と、金具３に図中矢印に上下動自在に嵌挿入される中央部５と、この中央部５の下方で架設された横幹６と、該横幹下方はコ字形を呈する開脚７とし構成されたものである。【０００８】  符号８で示された部位は蓋で、符号９は手押し具、１０は車輪、１１は補助輪である。【０００９】  図２は、図１におけるガイドを下降させ、使用に即した場合を示していて、中央部５が金具３の両側部に形成された孔を下降したもので、ガイド全体が下方に移動している。つまり、コ字形を呈する開脚７を地面に接するようにガイドを下降させたものであるから、開脚７の何れか一方を張られた紐に接しながらマーカーを引けば、自然と紐に側って線が正確に描かれることになる。【００１０】  図３は線幹で作られるガイドを説明するもので、上部は外方向に折り曲げられて握り部４を形成し、その下方は後記の金具に上下動自在に嵌挿入される中央部５を形成して、この中央部に最大で線幹の太さの半分程度内方向に反らした湾曲部を形成している。
該中央部５の下方には架設された横幹６を設け、この横幹６の下方はコ字形を呈する開脚７として形成したものである。【００１１】  図４は従来品で最も一般的なガイドを取付けたラインマーカーを示したもので、本体２１の前面２２に金具２３を取付け、該金具に線材を折り曲げたガイド兼スタンド２４を取付けたもので、線を引くときはこれにガイドの役目を果たさせ、不使用時はスタンドとしての役目を果たすものである。
したがって、このガイドを頼りに正確に直線を引くことは至難の技で、高度な技術と熟練を要する作業である。
【発明の効果】
【００１２】  本発明のラインマーカーは以上説明のように、外方向に折り曲げられて形成された握り部４と、金具３に上下動自在に嵌挿入される中央部５と、この中央部５の下方で架設された横幹６と、該横幹６下方はコ字形を呈する開脚７とした線材を折り曲げて形成したガイドを、本体前面の金具３に取付け、また、金具３に上下動自在に嵌挿入される中央部５に、最大で線幹の太さの半分程度内方向に反らした湾曲部を形成したことを特徴とするものであるから、不使用時は、上部の握り部４を引いて横幹６が金具３に当接するまで引き上げておき、使用する時は、開脚７が接地するまで握り部を押し下げ、この開脚を線の側に沿えながら引けば、正確に且つ綺麗に直線を描くことができる。
【００１３】  その上、金具に上下動自在に嵌挿入される中央部に、最大で線幹の太さの半分程度内方向に反らした湾曲部を形成しているので、使用中、意に反し勝手に該部が上昇することを防止している。
【００１４】  このように本発明のラインマーカーは、熟練を要せずに、学校等で生徒でも簡単に直線を正確に且つ綺麗に描くことができる効果を奏するものである。
【図面の簡単な説明】
【図１】本発明を補助輪付きのラインマーカーに実施した例を示たものである。
【図２】ガイド作動説明図である。
【図３】ガイドの構成説明図である。
【図４】最も一般的な従来品のラインマーカーを示す説明図である。
【符号の説明】
１本体    ２前面    ３金具    ４握り部    ５中央部    ６横幹    ７開脚
８蓋    ９手押し具    １０車輪    １１補助輪
【図１】
2005160978.tif 000003
【図２】
2005160978.tif 000004
【図３】
2005160978.tif 000005
【図４】
2005160978.tif 000006
(57)【要約】【課題】  本発明は、義歯用ブラシによる機械的擦掃や、薬品洗浄では困難であった義歯の微生物的汚染を解決するものである。すなわち義歯容器に電気等による発熱機能を持たせ、義歯容器内の加熱された熱水により、義歯の微生物的な汚染の除去を目的とした義歯容器を提供することを目的とするものである。【解決手段】  本発明は、義歯容器に電気等による発熱機能を持たせ、義歯容器内の加熱された熱水により、義歯の微生物的な汚染の除去を目的とした義歯容器とし、この義歯容器に温度調整機能とタイマー機能を持たせ、水を加熱する時間と温度を調整可能にした義歯容器である。本発明の義歯容器により義歯の微生物的汚染を熱水で簡単に除去できることを実現する。その結果、義歯の装着感の改善、義歯の臭いの除去さらには口腔衛生を改善できる。【選択図】  なし【特許請求の範囲】
【請求項１】
義歯の微生物的な汚染の除去を目的とした発熱機能を有する義歯容器。
【請求項２】
義歯容器に電気による発熱機能を持たせ、義歯容器内の加熱された熱水により、義歯の微生物的な汚染の除去を目的とした義歯容器。
【請求項３】
上記義歯容器に温度調整機能とタイマー機能を持たせ、水を加熱する
時間と温度を調整可能にした義歯容器。
【請求項４】
上記請求項１、請求項２および請求項３の義歯容器にさらに超音波や低周波の洗浄機能を加えた義歯容器。
【発明の詳細な説明】
【発明の詳細な説明】
【発明が属する技術分野】
【０００１】  本発明は、義歯の微生物的な汚染の除去を目的とした義歯容器に関し、義歯に付着あるいは内部に侵入した細菌や真菌などの微生物に対する殺菌作用を改善し、義歯の微生物的な汚染の除去を改善できる義歯容器に関する。
【背景技術】
【０００２】  従来、義歯の汚染の除去は、義歯用ブラシによる機械的擦掃や、薬品洗浄が行われてきたが、強固に義歯に粘着した微生物の集団であるバイオフィルムや義歯内部に進入した微生物を完全に除去することは難しかった。【０００３】  このため、義歯は常に細菌などに汚染された状態にあり、このような義歯は装着感、臭いさらには口腔衛生の面で問題があった。
【発明が解決しようとする課題】
【０００４】  そこで、本発明者は、上記の義歯の微生物的汚染を、義歯容器に付加された発熱作用により発生した熱水で簡単に除去できることにより、義歯の装着感の改善、義歯の臭いの除去さらには口腔衛生を改善できることに着目して本発明を完成するに至ったものである。
【００１０】  すなわち、本発明は、簡単な方法により、毎日の義歯の微生物的な汚染の除去を可能にする義歯容器を提供することを目的としている。
【課題を解決するための手段】
【００１１】  すなわち本発明は、義歯の微生物的な汚染の除去を目的とした発熱機能を有する義歯容器である。
【００１２】  本発明においては、義歯容器に電気等による発熱機能を持たせ、義歯容器中の加熱された熱水により、義歯の微生物的な汚染の除去を目的とした義歯容器である。義歯容器に電気コードを付け、通常の家庭の電気コンセントに接続して使用可能である。
義歯容器内の電気による発熱機により、義歯容器内に入れた水を加熱して用いられる。
加熱温度は概ね６０度以上が有効であり、沸点以下の温度が望ましい。
加熱時間はタイマー機能により設定されるが、概ね１０分で十分である。
この時間と温度では完全な滅菌は不可能であるが、ほとんどの微生物を殺菌可能であり、義歯に付着したバイオフィルムを除去できる。。
【００１３】  ここで使用される義歯容器は、上下の義歯と水を入れ、発熱機能が付加された構造である。
【００１４】  この義歯容器に、さらに超音波や低周波の洗浄機能を付け加えて洗浄力を高めても良い。
【００１５】  本発明の義歯容器は、義歯使用者が、日常的に簡単に、電気等による義歯容器内の水の加熱で、義歯の微生物的汚染を除去できる義歯容器である。本発明において用いられる義歯容器は、耐熱性で、漏電防止機能があることが必要である。
この義歯容器の洗浄力をさらに高めるために、超音波や低周波洗浄機能を付け加えても良い。
【発明を実施するための最良の形態】
【００１６】  以下本発明を実施例に基づいて説明する。
被験者の使用した義歯を６０度以上の熱水に１０分程度浸けて調べることとした。【００１７】  被験者の使用した義歯は、表面が白濁したバイオフィルムにより汚染されていた。悪臭も有った。義歯の材質から考えて、義歯内部にも微生物の侵入が考えられた。【００１８】  上記義歯を６０度以上の熱水に１０分程度浸けて調べた。その結果、義歯表面のバイオフィルムは無くなっており、悪臭も無く、また内部に侵入したと思われる微生物も熱でほとんどが殺菌されたと思われる。【００１９】  この実験を２ヶ月以上行ったが、義歯の微生物的な汚染の除去の有効性に変化は無かった。義歯の熱による変化や破損も無かった。【００２０】  上記実験を、この義歯容器に、さらに超音波や低周波の洗浄機能を付け加えて行った場合、義歯に付着する着色などの汚れも除去できた。
【発明の効果】
【００２１】  上記本発明の義歯容器は、義歯容器に電気等による発熱機能を持たせ、義歯容器中の加熱された熱水により、義歯の微生物的な汚染の除去を目的とした義歯容器であり、義歯の装着感の改善、義歯の臭いの除去さらには口腔衛生を改善できる効果を有するものである。